(57)【要約】【課題】足を高く上げた状態のまま楽な姿勢が取れるように、体脚部を乗せる床部の高さ調節を可能にし、軽くて、コンパクトな取り扱い易いものにする。【解決手段】体脚部を乗せる床部２を支持する前後脚部３、４をいずれも高さ調節自在型にして、床部２を大腿部を乗せる前床部２ａと、下腿部と足を乗せる後床前後部２ｂ１、２ｂ２とに３分割する。そして、前床部２ａと後床前部２ｂ１とを折り重ね・戻し自在に結合し、後床前後部２ｂ１、２ｂ２を折り重ね・戻し自在に結合し、前床部２ａの後端付近に前脚部３を前床部２ａに折り重ね・戻し自在に結合し、後床後部２ｂ２の後端付近に後脚部４を後床後部２ｂ２に折り重ね・戻し自在に結合する。【選択図】　　　　図１
2004008472.tif 000002
【特許請求の範囲】
【請求項１】
横たえた体の脚部を乗せる床部に、その床部を支持する前後脚部を備え付け、その前後脚部をいずれも高さ調節自在型にしてなる体脚部用高さ調節型簡易ベッドであって、上記床部を大腿部を乗せる前床部と、下腿部と足を乗せる後床部とに２分割し、その前後床部を折り重ね・戻し自在に結合し、その前床部の後端付近に前脚部を前床部に折り重ね・戻し自在に結合し、その後床部の後端付近に後脚部を後床部に折り重ね・戻し自在に結合することを特徴とする体脚部用高さ調節型簡易ベッド。
【請求項２】
後床部を前後部に２分割し、その後床前後部を折り重ね・戻し自在に結合することを特徴とする請求項１記載の体脚部用高さ調節型簡易ベッド。
【請求項３】
前後脚部をいずれも基部と足部とに２分割し、その基部を貫通する穴内にボルトの頭部付近を嵌め、回転自在に支持して先端側部を突出し、その足部を貫通する穴内にボルトの先端側部が嵌まるナットを嵌め固定して、その基部と足部とをボルト・ナットを用いて結合した組立体にし、その前後床部の所定位置に各ボルト操作穴を夫々設けることを特徴とする請求項１又は２記載の体脚部用高さ調節型簡易ベッド。
【発明の詳細な説明】
【０００１】
【発明の属する技術分野】
本発明は横たえた体の脚部を乗せ、その高さ調節を行なえる体脚部用高さ調節型簡易ベッドに関する。
【０００２】
【従来の技術】
一般には、体を横たえるベッドとして床部が平面状で一体になっているものが使用されている。しかし、最近では就寝中の健康維持、増進や介護のため、或いは新聞等を読み、テレビを見る等の日常生活の一部をベッド上で行うため等に、種々の構造を備えたベッドが提示されている。そして、それ等のベッドでは横たえた体を乗せる床部を体の各部に合せて複数の部分に分割し、更に上半身、脚部等を支持する各床部分の傾斜角度を各々変える等して目的に応じた使用が行われている。特に、就寝中等に脚部を高くして、大腿部と下腿部、足を対応する床部分によって支えておくと、疲労回復や腰痛治療等の良い効果が得られる。
【０００３】
【発明が解決しようとする課題】
しかしながら、このようなベッドには各床部分を傾斜させ、その角度を変えるための駆動機構等が備えられており、重く、大きくて場所を取り、持ち運びも不便である等の問題がある。それ故、旅行や合宿等の移動を伴う生活をする場合には利用し難く、それまでベッドにより日常的に得ていた疲労回復、腰痛治療等の効果が得られなくなる。特に、最近では腰痛に悩む人が多くなり、日常の生活においても簡単に使用できる体脚部用の簡易ベッドが求められている。
【０００４】
本発明はこのような従来の問題点に着目してなされたものであり、足を上げた状態のまま楽な姿勢がとれるように、使用する人に合わせて脚部を乗せる床部分の高さ調節を可能にし、軽くてコンパクトな取り扱い易い体脚部用高さ調節型簡易ベッドを提供することを目的とする。
【０００５】
【課題を解決するための手段】
上記目的を達成するために、本発明による体脚部用高さ調節型簡易ベッドには横たえた体の脚部を乗せる床部に、その床部を支持する前後脚部を備え付け、その前後脚部をいずれも高さ調節自在型にする。そして、上記床部を大腿部を乗せる前床部と、下腿部と足を乗せる後床部とに２分割し、その前後床部を折り重ね・戻し自在に結合し、その前床部の後端付近に前脚部を前床部に折り重ね・戻し自在に結合し、その後床部の後端付近に後脚部を後床部に折り重ね・戻し自在に結合する。
【０００６】
又、上記後床部を前後部に２分割し、その後床前後部を折り重ね・戻し自在に結合すると好ましくなる。
【０００７】
又、上記前後脚部をいずれも基部と足部とに２分割し、その基部を貫通する穴内にボルトの頭部付近を嵌め、回転自在に支持して先端側部を突出し、その足部を貫通する穴内にボルトの先端側部が嵌まるナットを嵌め固定して、その脚部と足部とをボルト・ナットを用いて結合した組立体にし、その前後床部の所定位置に各ボルト操作穴を夫々設けるとよい。
【０００８】
【発明の実施の形態】
以下、添付の図１〜６を参照して、本発明の実施の形態を説明する。
図１は本発明を適用した３つ折り重ね可能な床部を有する体脚部用高さ調節型簡易ベッドの使用時の状態を示す斜視図である。この体脚部用高さ調節型簡易ベッド１は横たえた体の脚部を乗せる床部２に、その床部２を支持する前後脚部３、４を備え、その前後脚部３、４をいずれも高さ調節自在型にする。そして、簡易ベッド１の構成部材をほとんど木製にし、例えばその床部２には桐の集成材からなる長方形状板体を用い、前後脚部３、４には桐の単一材からなる枠体を用いる等して軽量化する。なお、床部２に集成材を用いるのは、必要な強度を確保し、板厚を薄型化するためである。
【０００９】
この床部２は体脚部を横たえるのに必要な最小限度の面積にし、例えばその長手方向寸法を７７ｃｍ、短手方向寸法を５０ｃｍにする。すると、床部２の面積が小さいため、当然場所を取らず、軽量化できる。そして、床部２を体脚部の大腿部を乗せる前床部２ａと、下腿部と足を乗せる後床部２ｂとに２分割し、更に後床部２ｂを前後部２ｂ１、２ｂ２に２分割する。その際、床部２の長手方向の全寸法７７ｃｍを、例えば前床部２ａが２７ｃｍ、後床前後部２ｂ１、２ｂ２が２５ｃｍずつとなるようにする。なお、前床部２ａと後床前後部２ｂ１、２ｂ２はいずれもその下面の前後両端部を突出させて中央部に凹所５ａ、５ｂ１、５ｂ２を夫々設けておく。
【００１０】
又、床部２を３分割した後に、４個の蝶番６を用いて元通り一体の長方形状板体となるように結合する。その際、前床部２ａと後床前部２ｂ１との間に２個の蝶番６ａ１、６ａ２を介在し、その両蝶番６ａ１、６ａ２の開閉により前床部２ａと後床前部２ｂ１の上面同士が向き合う折り重ね状態と元の開いた戻し状態とを自在に実施できるようにする。又、後床前後部２ｂ１、２ｂ２の間に２個の蝶番６ｂ１、６ｂ２を介在し、その両蝶番６ｂ１、６ｂ２の開閉により後床前後部２ｂ１、２ｂ２の下面同士が向き合う折り重ね状態と元の開いた戻し状態とを自在に実施できるようにする（第５図参照）。
【００１１】
この床部２に対し、その前床部２ａの後端部下面に前脚部３を備え付け、後床後部２ｂ２の後端部下面に後脚部４を備え付け、その前後脚部３、４を高さ調節自在型にする。そこで、図２、３に示すように前後脚部３、４をいずれも基部７（７ａ、７ｂ）と足部８（８ａ、８ｂ）とに２分割し、それ等をボルト９、ナット１０を用いて結合させた組立体にする。そして、基部７には細長い角材を用い、足部８には細長い角材１１とその上に左右に離して立てて結合した２個の短い板材１２との組立体を用いる。なお、細長い角材１１は足部８の底部材であり、２個の短い板材１２は足部８の底部材１１と基部７との繋ぎ部材である。
【００１２】
又、基部７と足部８とを結合するため、基部７の足部取付箇所の中心を上下に貫く穴１３の内部に、ボルト９の頭部１４の付近を嵌めて回転自在に支持し、その先端側部を突出する。その際、ボルト９の頭部１４を基部７の足部取付箇所の上端部に固定して上下に配置した位置決め部材たる長方形座金１５と丸型座金１６で挟持して抜け止めする。又、足部８の繋ぎ部材１２を底部材１１と共に上下に貫く穴１７の内部に、ボルト９の先端側部が嵌まるナット１０を嵌めて固定し、そのナット１０を繋ぎ部材１２の上端面に固定した長方形座金１８で押えて抜け止めする。
【００１３】
そして、前床部２ａの後端部と後床後部２ｂ２の後端部に、ボルト操作用の貫通穴１９〔１９ａ（１９ａ１，１９ａ２）、１９ｂ（１９ｂ１，１９ｂ２）〕をいずれも左右に離して夫々設けておく。すると、前後脚部３、４を２個ずつ蝶番２０を用いて、前床部２ａ、後床後部２ｂ２の各後端部下面の対応位置に夫々結合させ，備え付けることができる。
【００１４】
その際、各蝶番２０の最大開度時に前脚部３を前床部２ａの上面に対し垂直方向となるように突出し、後脚部４を後床後部２ｂ２の上面に対して垂直方向よりやや後方に行くように突出する。なお、後脚部４を前脚部３と同様垂直方向に突出させてもよい。又、蝶番２０の閉鎖時に前脚部３を前床部２ａの下面側に折り重なるようにし、後脚部４を後床後部２ｂ２の下面側に折り重なるようにする。それ故、前脚部３を操作して、前床部２ａに対する折り重ね状態と元の開いた戻し状態とを自在に実施できる。又、後脚部４を操作して、後床後部２ｂ２に対する折り重ね状態と元の開いた戻し状態とを自在に実施できる。
【００１５】
このような体脚部用高さ調節型簡易ベッド１は床や畳或いは既存のベッド上に置き、蒲団等の寝具を上に敷いて使用する。その際には、前後脚部３、４がいずれも高さ調節自在型となっているので、前以て使用する人に合せて調節する。その調節時には、前床部２ａと後床後部２ｂ２の所定位置に夫々設けた各ボルト操作穴１９内に、Ｌ型レンチ２１を夫々挿入して、基部７内に位置決めされて回転自在に嵌まるボルト９の頭部１４に回転力を与える。すると、足部８内に固定したナット１０に嵌まるボルト９の先端側部の足部内長さを変えて、基部７に対し、足部８を矢印方向に移動させて接近又は後退させることができる。なお、前後脚部３、４の高さ調節は適宜行なえる。
【００１６】
すると、例えば図１に示すように前床部２ａの前端を下げ、前脚部３の高さ調節をして後端を上げて、その前床部２ａの傾斜角度を選び、更に前床部２ａの前端より高い位置にある後床部２ｂを後脚部４の高さ調節をして水平に保つことができる。或いは、後脚部４の高さ調節をして後床後部２ｂ１の後端を上げ下げして、後床部２ｂの傾斜角度を選択できる。使用時、簡易ベッド１を置き、その上に蒲団を敷いて体を横たえ、その簡易ベッド１上に脚部を乗せる。すると、簡易ベッド１が前以て使用する人に合せて、前床部２ａの前端より後床部２ａが高くなった状態で、前床部２ａと後床部２ｂの傾斜角度を選択して夫々設定してあるため、体脚部の大腿部と下腿部、足が前床部２ａと後床部２ｂによって各々良好に支持され、足を高く上げたままの状態で楽な姿勢をとることができる。それ故、就寝中等に疲労回復、腰痛治療等の健康にとって良好な効果が得られる。
【００１７】
この簡易ベッド１は折り畳む際に、後床前部２ｂ１を基準にし、図４に示すように前床部２ａと前脚部３はその後床前部２ｂ１上に乗るように夫々矢印方向に回転させて折り曲げる。又、後床後部２ｂ２と後脚部４はその後脚部４を倒れないように止めていたストッパー２２を外した後、その後床前部２ｂ１の下にくるよう夫々矢印方向に回転させて折り曲げる。なお、このストッパー２２は後脚部４の基部７ｂの中央穴に設置した長方形状板体であって軸を有し、その中央穴から長方形状板体の両端部を突出させると、後脚部４が止まり、その中央穴内に収容することによって解除できる。
【００１８】
すると、図５に示すように簡易ベッド１の床部２を３つ折りにして重ね、その前床部２ａの下面凹所５ａ内に前脚部３を入れ、更に後床前後部２ｂ１、２ｂ２の両下面凹所５ｂ１、５ｂ２内に後脚部４を入れて全体を良く折り畳むことができる。又、図６ではその折り畳んだ簡易ベッド１の上下を反対にした状態を示している。このようにして、体脚部用高さ調節型簡易ベッド１を製作すると、前後床部２ａ、２ｂの傾斜角度を変えるための駆動機構等も必要なく、体脚部を乗せるだけの面積にすればよいので、その重量を例えば４．５ｋｇ程にすることができるため軽量となり、折りたたむとコンパクトとなって取り扱い易く、場所も取らない。それ故、持ち運びに便利であり、旅行や合宿等の移動を伴う生活においても使用し易く、疲労回復、腰痛治療等の効果を継続して簡単に得ることができる。
【００１９】
上記実施の形態では体脚部用高さ調節型簡易ベッド１の床部２を前床部２ａと後床前後部２ｂ１、２ｂ２に３分割し、その簡易ベッド１を折り畳む際、床部２を３つ折り重ねにする場合について説明したが、体脚部用高さ調節型簡易ベッドの床部を前床部と後床部に２分割し、その簡易ベッドを折り畳む際、床部を２つ折り重ねにすることもできる。なお、後者の場合、重量を４ｋｇ程にすることができる。
【００２０】
【発明の効果】
以上説明した本発明によれば、請求項１記載の発明では、横たえた体の脚部を乗せる床部を大腿部を乗せる前床部と、下腿部と足を乗せる後床部とに２分割し、その床部を支持する前後脚部をいずれも高さ調節自在型にして、その前床部の後端付近に前脚部を備え付け、その後床部の後端付近に後脚部を備え付けることにより、前以て使用する人に合せて、前床部の前端より後床部が高くなった状態で、その前床部と後床部の傾斜角度を選択して夫々設定すると、体脚部の大腿部と下腿部、足が前床部と後床部とによって各々良好に支持され、足を高く上げた状態のまま楽な姿勢を取ることができる。それ故、就寝中等に疲労回復、腰痛治療等の健康にとって良好な効果が得られる。
【００２１】
又、その前後床部を折り重ね・戻し自在に結合し、その前床部の後端付近に前脚部を前床部に折り重ね・戻し自在に結合し、その後床部の後端付近に後脚部を後床部に折り重ね・戻し自在に結合することにより、床部の前後床部を２つ折りにして重ね、更にその前後床部に前後脚部を折り重ねて全体を良く折り畳むことができる。それ故、前後床部の傾斜角度を変えるための駆動機構等を必要とせず、体脚部を乗せるだけの面積があればよいため、軽量化でき、折り畳むとコンパクトになって取り扱い易く、場所も取らないので、持ち運びに便利であり、特に旅行や合宿等のような移動を伴う生活をする場合の使用に適している。
【００２２】
又、請求項２記載の発明では後床部を前後部に２分割し、その後床前後部を折り重ね・戻し自在に結合することにより、床部を３つ折りにして重ね、全体を良く折り畳むことができる。それ故、一層コンパクトになり好都合となる。
【００２３】
又、請求項３記載の発明では前後床部を支持する前後脚部をいずれも基部と足部とに分離し、その基部と足部とをボルト・ナットを用いて結合した組立体にすること等により、前後床部の所定位置に夫々設けた各ボルト操作穴にレンチを挿入して、基部内に回転自在に嵌まるボルトの頭部に回転力を加え、足部内に固定したナットに嵌まるボルトの先端側部の足部内長さを変えて、基部に足部を接近又は後退させることができる。それ故、前後脚部の高さ調節を簡単に行なえる。
【図面の簡単な説明】
【図１】本発明を適用した３つ折り重ね可能な床部を有する体脚部用高さ調節型簡易ベッドの使用時の状態を示す斜視図である。
【図２】同体脚部用高さ調節型簡易ベッドの前脚部の高さ調節機構を示す要部縦断面図である。
【図３】同体脚部用高さ調節型簡易ベッドの後脚部の高さ調節機構を示す要部縦断面図である。
【図４】同体脚部用高さ調節型簡易ベッドを構成する各部の折り曲げ方向を示す斜視図である。
【図５】同体脚部用高さ調節型簡易ベッドの前脚部を上にした折り畳み状態を示す斜視図である。
【図６】同体脚部用高さ調節型簡易ベッドの後床後部を上にした折り畳み状態を示す斜視図である。
【符号の説明】
１…体脚部用高さ調節型簡易ベッド　２…床部　２ａ…前床部　２ｂ…後床部
２ｂ１、２ｂ２…後床前後部　３、４…前後脚部　５…凹所　６、２０…蝶番
７…基部　８…足部　９…ボルト　１０…ナット　１１…底部材　１２…繋ぎ部材　１３、１７…貫通穴　１４…頭部　１５、１６、１８…座金　１９…ボルト操作穴　２２…ストッパー
【図１】
2004008472.tif 000003
【図２】
2004008472.tif 000004
【図３】
2004008472.tif 000005
【図４】
2004008472.tif 000006
【図５】
2004008472.tif 000007
【図６】
2004008472.tif 000008